(57)【要約】【課題】ＡＲ値を用いて光ディスクのＬＰＰを高精度に検査する。【解決手段】光ディスクのグルーブトラックに検査用データを記録し、再生信号のプッシュプル信号７０に含まれるＬＰＰ成分のＡＲ値を算出する。第３番目のＬＰＰ３００の重畳波形ではなく、第１番目のＬＰＰ１００の重畳波形のピーク最大値とピーク最小値とからＡＲ値を算出する。算出されたＡＲ値を規格値と比較し、規格値以上であれば第３番目のＬＰＰについてのＡＲも規格値を満たすものとみなす。【選択図】図１
2006134515.tif 000002
【特許請求の範囲】
【請求項１】
情報記録トラックであるグルーブトラックに隣接するランドにランドプリピットが形成された光ディスクのＡＲ値測定装置であって、
前記ランドプリピットのうちの同期用ランドプリピットに同期して前記グルーブトラックに同期情報を記録する手段と、
前記グルーブトラックに光を照射しその反射光からプッシュプル信号を生成する手段と、
前記プッシュプル信号のうち、前記同期用ランドプリピット近傍の信号を複数回繰り返しサンプリングして重畳波形を生成する手段と、
前記重畳波形の最大ピーク値と最小ピーク値との比をＡＲ値として算出する手段と、
を有し、前記同期情報にはその極性がマークである同期情報及びスペースである同期情報が含まれることを特徴とするＡＲ値測定装置。
【請求項２】
情報記録トラックであるグルーブトラックに隣接するランドにランドプリピットが形成された光ディスクのＡＲ値測定方法であって、
複数のランドプリピットのうちの第１番目のランドプリピットである同期用ランドプリピットに同期して前記グルーブトラックに、その極性がマークである同期情報とスペースである同期情報を記録するステップと、
前記グルーブトラックに光を照射しその反射光からラジアルプッシュプル信号を生成するステップと、
前記ラジアルプッシュプル信号のうち、前記同期用ランドプリピット近傍の信号を複数回繰り返しサンプリングして重畳波形を生成するステップと、
前記重畳波形の最大ピーク値と最小ピーク値との比をＡＲ値として算出するステップと、
前記ＡＲ値が所定のしきい値以上であるか否かを判定し、しきい値以上である場合に前記複数のランドプリピットのうちの第３番目のランドプリピットに対応するＡＲ値もしきい値以上であると判定するステップと、
を有することを特徴とする光ディスクのＡＲ値測定方法。
【請求項３】
情報記録トラックであるグルーブトラックに隣接するランドにランドプリピットが形成された光ディスクであって、
前記ランドプリピットのうちの同期用ランドプリピットに同期して前記グルーブトラックに同期情報が記録されるものであって、前記同期情報の極性はマーク及びスペースがともに含まれており、前記同期用ランドプリピットに対応するＡＲ値が１５％以上を満たすことを特徴とする光ディスク。
【請求項４】
情報記録トラックであるグルーブトラックに隣接するランドにランドプリピットが形成された光ディスクであって、
前記ランドプリピットのうちの同期用ランドプリピットに同期して前記グルーブトラックに同期情報が記録されるものであって、前記同期情報の極性はマーク及びスペースがともに含まれており、前記同期用ランドプリピットに対応するＡＲ値が１０％以上を満たすことを特徴とする光ディスク。
【発明の詳細な説明】
【技術分野】
【０００１】
本発明は光ディスクの検査装置、特にＡＲ値の測定に関する。
【背景技術】
【０００２】
従来より、ＤＶＤ−ＲやＤＶＤ−ＲＷ等、情報記録トラックであるグルーブトラックに隣接するランドにランドプリピット（ＬＰＰ）が形成された光ディスクにおいては、そのＡＲ（Ａｐｅｒｔｕｒｅ  Ｒａｔｉｏ）値が所定の規格を満たしていることが要求されている。ここに、ＡＲ値は、再生信号のラジアル方向のプッシュプル信号に含まれるＬＰＰ信号（図６参照：ＬＰＰ信号自体は図中のしきい値成分で抽出され得る）を所定期間にわたって複数回繰り返しサンプリングして得られた重畳波形をオシロスコープ等で観測し、図７に示されるようにそのピーク値の最大値ｍａｘと最小値ｍｉｎを測定し、その比ＡＲ＝ｍｉｎ／ｍａｘとして定義される。ＡＲ値は１５％以上が要求され、３ビットのＬＰＰのうちの第３番目のＬＰＰがセクタアドレスに対応するＬＰＰであることから、第３番目のＬＰＰに対応するＬＰＰ信号の最大値と最小値を測定してＡＲ値を算出している。
【０００３】
以下、下記の特許文献１に開示された従来のＡＲ値測定装置について説明する。なお、プッシュプル信号を生成する構成自体は本発明と共通するので、本発明の説明の都合上、詳しく説明する。
【０００４】
図８には、従来のＡＲ測定装置が示されている。ＡＲ値測定装置には、検査対象の光ディスク１に対して情報を書き込み、及び読み出しを行うことができる記録再生ヘッド２が備えられている。記録再生ヘッド２には、記録面を有する追記又は書換可能な光ディスク１に対して情報データの記録を行う記録ビーム光発生装置、光ディスク１から記録情報(情報データを含む)の読み取りを行う読取ビーム光発生装置及び４分割光検出器が搭載されている。読取ビーム光発生装置は、スピンドルモータ９によって回転駆動される光ディスク１に読取ビーム光を照射し、その記録面上に情報読取スポットを形成させる。４分割光検出器２０は、光ディスク１の情報記録トラック（グルーブトラック）の接線に沿った方向と、記録トラックの接線に直交する方向とによって４分割された受光面を有する光電変換素子からなる。その光電変換素子は、情報読取スポットによる光ディスク１からの反射光を４つの受光面各々によって受光し、夫々を個別に電気信号に変換したものを受光信号Ｒａ〜Ｒｄとして出力する。
【０００５】
サーボ制御装置４は、これら受光信号Ｒａ〜Ｒｄに基づいてフォーカスエラー信号、トラッキングエラー信号及びスライダ駆動信号を各々生成する。フォーカスエラー信号は、記録再生ヘッド２に搭載されているフォーカシングアクチュエータに供給される。フォーカシングアクチュエータは、フォーカスエラー信号に基づいて情報読取スポットの焦点を調整する。トラッキングエラー信号は、記録再生ヘッド２に搭載されているトラッキングアクチュエータに供給される。トラッキングアクチュエータは、トラッキングエラー信号に基づいて情報読取スポットの形成位置をディスク半径方向にて調整する。スライダ駆動信号はスライダ１０に供給される。スライダ１０はスライダ駆動信号に応じた速度で記録再生ヘッド２をディスク半径方向に移送させる。
【０００６】
また、上記受光信号Ｒａ〜Ｒｄは加算器２１〜２３及び減算器２４を有するヘッドアンプ２５に供給される。加算器２１は受光信号Ｒａ，Ｒｄを加算し、加算器２２は受光信号Ｒｂ，Ｒｃを加算する。すなわち、加算器２１は４分割光検出器２０の受光面２０ａ及び２０ｄによって各々受光されて得られた受光信号Ｒａ及びＲｄ同士を加算して加算受光信号Ｒa+dを出力する。また、加算器２２は４分割光検出器２０の受光面２０ｂ及び２０ｃ各々によって受光されて得られた受光信号Ｒｂ及びＲｃ同士を加算して加算受光信号Ｒb+cを出力する。
【０００７】
加算器２３は加算器２１，２２の各出力信号Ｒa+d，Ｒb+cを加算する。加算器２３の出力信号は読取信号、すなわちＲＦ信号であり、情報データ再生回路３０に供給される。情報データ再生回路３０は、その読取信号を２値化した後、復調処理、誤り訂正処理、及び各種情報復号処理を順次実施することにより、光ディスク１に記録されていた情報データ（映像データ、音声データ、コンピュータデータ）の再生を行い、これを出力する。
【０００８】
減算器２４は加算器２１の出力信号Ｒa+dから加算器２２の出力信号Ｒb+cを減算する。減算器２４の出力信号は上記のグルーブトラックのウォブリングによる周波数を示す信号となり、スピンドルモータ９のスピンドルサーボ装置２６に供給される。スピンドルサーボ装置２６は減算器２４の出力信号から得られる周波数が予め定められた回転速度に対応した周波数になるようにスピンドルモータ９を回転駆動する。
【０００９】
プリピット検出回路５は、加算器２１，２２の各出力信号に基づいて、光ディスク１のランドトラック上に形成されているランドプリピット(ＬＰＰ)を検出してプリピット検出信号ＰＰDを記録処理回路７に供給する。記録処理回路７は、プリピット検出信号ＰＰDに基づいて、現時点において記録再生ヘッド２が記録を行っている位置、すなわち、グルーブトラック上の位置を認識し、この記録位置から所望の記録位置へと記録再生ヘッド２をトラックジャンプせしめるべき制御信号をサーボ制御装置４に供給する。更に、記録処理回路７は、記録すべき情報データ（検査用の情報データ）に対して所望の記録変調処理を施して記録変調データ信号を生成し、これを上記記録再生ヘッド２に供給する。記録再生ヘッド２に搭載されている記録ビーム光発生装置は、かかる記録変調データ信号に応じた記録ビーム光を発生し、これを光ディスク１上のグルーブトラック上に照射する。この際、かかる記録ビームが照射されたグルーブトラック上の領域に熱が伝わりその領域に、情報ピットが形成されて行く。
【００１０】
プリピット検出回路５は、図９に示されるように、加算器２１の出力信号Ｒa+dを増幅する増幅器３１と、加算器２２の出力信号Ｒb+cを増幅する増幅器３２と、増幅器３１の出力信号から増幅器３２の出力信号を減算してラジアルプッシュプル信号（グルーブウォブル信号）ＰＰとして出力する減算器３３と、減算器３３の出力プッシュプル信号ＰＰを閾値ＴＨにて２値化して上記のプリピット検出信号ＰＰDを生成する２値化回路３４とからなる。増幅器３１の利得Ｇ１と増幅器３２の利得Ｇ２とは、Ｇ１＝Ｇ２に設定される。減算器３３から出力されるプッシュプル信号ＰＰはオシロスコープ６１に供給される。オシロスコープ６１はプッシュプル信号ＰＰをサンプリングして例えば、プッシュプル信号ＰＰ中のＬＰＰに対応した部分を表示するものである。オシロスコープ６１にはパーソナルコンピュータ（パソコン）６２が接続されている。パソコン６２はオシロスコープ６１の内部メモリ（例えば、後述のサンプルメモリ９３）に記憶されたプッシュプル信号ＰＰのレベルデータを用いて閾値ＴＨを算出する。パソコン６２は、ＣＰＵ６５及び内部メモリ６６を含んでいる。パソコン６２の出力ポートにはＤ／Ａ変換器６３が接続されている。Ｄ／Ａ変換器６３はパソコン６２によって算出されたスライスレベルをアナログ信号に変換する。Ｄ／Ａ変換器６３の出力信号は上記の２値化回路３４に２値化のための閾値信号として供給される。２値化回路３４から出力された信号（プリピット検出信号ＰＰD）はエラーレート検出回路に供給され、そこでその供給された信号に応じたエラーレートが検出される。
【００１１】
オシロスコープ６１は、Ａ／Ｄ変換器と、制御回路と、サンプルメモリと、表示メモリと、Ｘ及びＹドライバと、表示パネルと、操作部と、インターフェースとを備えている。Ａ／Ｄ変換器は入力アナログ信号をディジタル信号に変換する。制御回路はＡ／Ｄ変換器によって得られたディジタル信号のサンプルデータをサンプルメモリに順次書き込むと共にサンプルメモリから表示すべきデータを読み出して表示メモリに書き込んで展開する。Ｘ及びＹドライバは表示メモリに書き込まれたデータに応じて表示パネルを駆動して表示パネルに入力アナログ信号の波形を表示させる。
【００１２】
ＡＲの測定では、減算器３３から出力されたプッシュプル信号ＰＰはオシロスコープ６１に供給され、オシロスコープ６１ではプッシュプル信号ＰＰがＡ／Ｄ変換器によって高周波数のクロックに応じてサンプリングされ、制御回路がそのサンプリングデータをメモリに順次記憶させる。制御回路はＡ／Ｄ変換器から供給されるサンプリングデータのうちの所定値以上のピーク値を検出する。そのピーク値を検出すると、それをトリガとして所定期間に亘ってサンプリングデータがメモリに記憶される。このピーク値は第１番目のＬＰＰである同期用ＬＰＰに対応する。メモリへの所定期間に亘る書き込みが複数回繰り返される。制御回路はメモリに記憶させたデータを読み出して表示メモリに供給して表示パネルに波形表示させる。その読み出しタイミングは操作部からの指令に応じて設定され、これにより検査対象の３番目のＬＰＰ成分を含むプッシュプル信号ＰＰの重複波形、すなわちＡＲ波形が表示される。この表示においては時間軸が調整されてプッシュプル信号ＰＰのピーク値位置が表示中心線（時間軸中心線）になるようにされる。
【００１３】
パソコン６２は、オシロスコープ６１の制御回路にインターフェースを介して指令することによりサンプルメモリに記憶されたサンプルデータを読み出して取り込むことができる。パソコン６２のＣＰＵ６５は、ピーク値の最大値ｍａｘ及び最小値ｍｉｎを検出し、その比を算出してＡＲ値を算出する。
【００１４】
【特許文献１】特開２００２−２５１７２７号公報
【発明の開示】
【発明が解決しようとする課題】
【００１５】
このように、従来のＡＲ測定装置においては、第１番目のＬＰＰである同期用ＬＰＰを検出し、これをトリガとして第３番目のＬＰＰのｍａｘ及びｍｉｎを検出する構成であるため、トリガのタイミングがＡＲ値の検出精度に影響を与えることになり、トリガのタイミングがずれると正確なＡＲ値を算出することが困難となる問題がある。
【００１６】
すなわち、検査用データを情報記録トラックであるグルーブトラックに記録する場合、同期用ＬＰＰに同期して同期情報（データ長には存在しない最長の１４Ｔ）を形成するが、この同期情報の極性がマーク（すなわち、記録パワーのレーザ光を照射して記録膜にピットを形成する）である場合にはこのマーク形成によりＬＰＰが影響を受け、プッシュプル信号に含まれるＬＰＰ成分の振幅が減少する。このようにＬＰＰ成分の振幅が１４Ｔ同期情報の影響を受けて変動するため、同期用ＬＰＰの検出をもってトリガとした場合にトリガのかかるタイミングに時間的ずれが生じ、ＡＲ値の算出対象である第３番目のＬＰＰの最小値の測定にずれが生じて正確なＡＲ値を算出することができなくなる。例えば、同期情報の極性がマークの場合とスペースの場合におけるトリガタイミングを考察すると、同期情報の極性がスペースの場合には同期用ＬＰＰの振幅は大きく（同期情報がスペース（ピット非形成）であるためその影響を受けない）、同期情報の極性がマークの場合には同期用ＬＰＰの振幅は小さいため、所定のしきい値でトリガをかけるものとすると、同期情報の極性がマークの場合にはスペースの場合に比べてトリガのかかるタイミングが遅れることになる。すると、サンプリングタイミングもその分だけ時間的に遅れることになるから、第３番目のＬＰＰの重畳波形の最小値は本来の値よりも低くなり、結果的にＡＲ値が本来の値よりも小さく算出されてしまう。このことは、本来であれば規格値（１５％）を満たす光ディスクを規格外と誤判定する事態が生じ得ることを意味する。
【００１７】
本発明の目的は、従来以上にＡＲ値を高精度に検出し、もって光ディスクの誤判定を防止できる装置及び方法を提供することにある。
【課題を解決するための手段】
【００１８】
本発明は、情報記録トラックであるグルーブトラックに隣接するランドにＬＰＰが形成された光ディスクのＡＲ値測定装置であって、前記ＬＰＰのうちの同期用ＬＰＰに同期して前記グルーブトラックに同期情報を記録する手段と、前記グルーブトラックに光を照射しその反射光からプッシュプル信号を生成する手段と、前記プッシュプル信号のうち、前記同期用ＬＰＰ近傍の信号を複数回繰り返しサンプリングして重畳波形を生成する手段と、前記重畳波形の最大ピーク値と最小ピーク値との比をＡＲ値として算出する手段とを有する。ここに、前記同期情報にはその極性がマークである同期情報とスペースである同期情報が含まれる。すなわち、同期情報の全ての極性がスペースあるいはマークではないように設定される。
【００１９】
また、本発明は、情報記録トラックであるグルーブトラックに隣接するランドにＬＰＰが形成された光ディスクのＡＲ値測定方法であって、複数のＬＰＰのうちの第１番目のＬＰＰである同期用ＬＰＰに同期して前記グルーブトラックに、その極性がマークである同期情報とスペースである同期情報を記録するステップと、前記グルーブトラックに光を照射しその反射光からラジアルプッシュプル信号を生成するステップと、前記ラジアルプッシュプル信号のうち、前記同期用ＬＰＰ近傍の信号を複数回繰り返しサンプリングして重畳波形を生成するステップと、前記重畳波形の最大ピーク値と最小ピーク値との比をＡＲ値として算出するステップと、前記ＡＲ値が所定のしきい値以上であるか否かを判定し、しきい値以上である場合に前記複数のＬＰＰのうちの第３番目のＬＰＰに対応するＡＲ値もしきい値以上であると判定するステップとを有する。
【００２０】
本発明では、従来のように第３番目のＬＰＰを対象としてＡＲ値を算出するのではなく、第１番目のＬＰＰ、つまり同期用ＬＰＰを対象としてＡＲ値を算出する。同期用ＬＰＰを対象とすることで、サンプリングタイミングのずれによるＡＲ値の誤算出が防止される。また、同期用ＬＰＰに隣接するグルーブトラックには同期情報が形成され、当該同期情報にはその極性がマーク（ピット形成）となる同期情報が常に含まれることから、同期用ＬＰＰのＡＲ値は第３番目のＬＰＰのＡＲ値以下となり、第１番目のＬＰＰのＡＲ値を評価することで第３番目のＬＰＰのＡＲ値も評価することができる。すなわち、同期用ＬＰＰのＡＲがしきい値以上であれば、たとえ第３番目のＬＰＰのＡＲ値を直接算出しなくてもそれがしきい値以上であると判定できる。
【００２１】
また、本発明は、情報記録トラックであるグルーブトラックに隣接するランドにＬＰＰが形成された光ディスクであって、前記ＬＰＰのうちの同期用ＬＰＰに同期して前記グルーブトラックに同期情報が記録されるものであって、前記同期情報の極性はマーク及びスペースがともに含まれており、前記同期用ＬＰＰに対応するＡＲ値が１０％以上、あるいは１５％以上を満たすことを特徴とする。
【００２２】
上記のとおり、同期用ＬＰＰのＡＲ値は第３番目のＬＰＰのＡＲ値以下となり、同期用ＬＰＰのＡＲ値を評価することで第３番目のＬＰＰのＡＲ値も評価することができる。したがって、同期用ＬＰＰが１０％以上、あるいは１５％以上を満たす光ディスクは、ＬＰＰが問題なく形成されている光ディスクであり、データの記録あるいは再生を高精度に実行できる光ディスクである。
【発明の効果】
【００２３】
本発明によれば、従来以上に高精度にＡＲ値を評価することができるので、光ディスクのＬＰＰが正常か否か（規格の範囲内か否か）を確実に検査することができる。また、データの記録再生を確実に実行できる光ディスクを提供できる。
【発明を実施するための最良の形態】
【００２４】
以下、図面に基づき本発明の実施形態について説明する。なお、本実施形態に係る光ディスクのＡＲ値測定装置の全体構成は図８及び図９に示された従来のＡＲ値測定装置と略同一であるので、本実施形態においてそのまま援用する。従来装置と異なる点は、ＡＲ値の測定対象が従来のように第３番目のＬＰＰではなく第１番目、すなわち同期用ＬＰＰである点である。より詳しくは、従来においては、第１番目のＬＰＰである同期用ＬＰＰを検出するとこれをトリガとして第３番目のＬＰＰを複数回サンプリングしてその重畳波形（ＡＲ波形）をオシロスコープ６１で作成しているが、本実施形態では第１番目のＬＰＰである同期用ＬＰＰを検出し、この同期用ＬＰＰ近傍を複数回サンプリングしてその重複波形（ＡＲ波形）をオシロスコープ６１で作成する。パソコン６２は、第３番目のＬＰＰのＡＲ波形における最大値及び最小値を検出するのではなく、第１番目のＬＰＰのＡＲ波形における最大値及び最小値を検出する。
【００２５】
図１には、本実施形態におけるＡＲ値測定の概念が模式的に示されている。減算器３３からのプッシュプル信号（ラジアルプッシュプル信号）ＰＰ７０には、上記のとおり３つのＬＰＰ信号１００、２００、３００が含まれている。第１番目のＬＰＰ信号１００（図では、所定期間にわたって繰り返しサンプリングして重畳した重畳波形（ＡＲ波形）として示されている）は同期用ＬＰＰ信号であり、データを記録する際にはこの同期用ＬＰＰ信号に同期して１４Ｔの同期情報をグルーブトラックに記録する。すなわち、グルーブトラックに記録されるデータは予め情報単位である同期フレームごとに分割され、２６個の同期フレームで１セクタが構成され、１６セクタで１ＥＣＣブロックが構成される。そして、各々の同期フレームの先頭に同期フレーム毎の同期を取るための同期情報（ＳＹＮＣ）が挿入される。同期情報としては、確実にフレーム同期がとれるようにデータ変調部分に出現する最長の１１Ｔよりも十分長い１４Ｔが用いられる。そして、ＤＶＤ−Ｒ等の規格では、１４Ｔの同期情報としてはマーク、スペースのいずれかの極性を選択することができる。
【００２６】
ここで、仮に同期情報の極性が全てスペースであるものとすると、同期用ＬＰＰ１００の隣接トラックはスペース、すなわちピットが形成されないことからＬＰＰは影響を受けず、ＰＰ信号７０に含まれるＬＰＰ信号１００の振幅も大きい。ところが、一般に同期情報の極性はＤＳＶ（Ｄｉｇｉｔａｌ  Ｓｕｍ  Ｖａｌｕｅ）値が最小となるように選択してＤＣ成分を抑制するため、あるいはＲＯＰＣを確実に実行するために複数回に１回は必ずその極性がマークとなるように選択されるため、同期情報はスペースのみならずマークが含まれることとなる。同期情報の極性がマークになると、同期用ＬＰＰに隣接するトラックにはマーク、すなわちピットが形成されることから、ＬＰＰ自体がその熱的影響を受けるとともに再生時にピットの反射率低下の影響を受け、ＰＰ信号７０に含まれるＬＰＰ信号１００の振幅が小さくなる。
【００２７】
また、第３番目のＬＰＰ信号３００に着目すると、この第３番目のＬＰＰに隣接するグルーブトラックには同期情報以外の３Ｔ〜１１Ｔのデータが記録されることとなり、その極性もマークあるいはスペースのいずれかであって、所定期間にわたる重畳波形における最大値はグルーブにスペースが位置する場合、最小値はグルーブにマークが位置する場合に対応するものである。ＡＲ値は、ＡＲ＝ｍｉｎ（最小ピーク値）／ｍａｘ（最大ピーク値）で定義されるから、グルーブにマークが存在する場合にＡＲ値は小さくなり、そのときにＡＲ値が１５％以上あれば規格を満足することになる。
【００２８】
一方、上記のとおり、同期用ＬＰＰに隣接するグルーブには１４Ｔの同期情報が形成され、複数回に１回はその極性がマークとなるように選択されるから、同期用ＬＰＰ信号１００の最小ピーク値は常に確保されることになる。同期用ＬＰＰ信号１００の最大ピーク値と最小ピーク値をそれぞれｍａｘ（１）、ｍｉｎ（１）、第３番目のＬＰＰ信号３００の最大ピーク値と最小ピーク値をそれぞれｍａｘ（３）、ｍｉｎ（３）とすると、一般に以下の関係が成り立つ。
ｍａｘ（１）≒ｍａｘ（３）
ｍｉｎ（１）≦ｍｉｎ（３）
ここに、ｍｉｎ（１）≦ｍｉｎ（３）であるのは、同期用ＬＰＰには一定の頻度で最長の１４Ｔのマークが必ず存在するためＬＰＰへの影響が最大限に大きい（振幅減少幅が最も大きい）からである。
【００２９】
したがって、同期用ＬＰＰ信号１００のＡＲ値であるＡＲ（１）と第３番目のＬＰＰ信号３００のＡＲ値であるＡＲ（３）との大小関係は、一般に
ＡＲ（１）≦ＡＲ（３）
となるので、ＡＲ（１）が規格である１５％以上を満たすならば、常にＡＲ（３）も１５％以上を満たすことになる。本実施形態では、このような原理に鑑み、図１に示されるように、第３番目のＬＰＰ信号３００ではなく、第１番目のＬＰＰ信号である同期用ＬＰＰ信号１００をオシロスコープ６１で作成し、そのＡＲ値をパソコン６２で算出して規格を満たすか否かを判定する。
【００３０】
図２には、８倍速でグルーブトラックに検査用データを記録し、そのデータを再生してプッシュプル信号を作成し、このプッシュプル信号に含まれる第１番目のＬＰＰである同期用ＬＰＰ近傍を所定期間にわたって繰り返しサンプリングして得られるオシロスコープ６１上の重畳波形（ＡＲ波形）が示されている。なお、図７に示されるＡＲ波形とはその正負が反転しているが、ＡＲ値測定には何ら影響しないことはいうまでもない。図において、ピーク値の最大値は同期情報の極性がスペースの場合に対応し、最小値は同期情報の極性がマークの場合に対応する。また、図３には、８倍速でグルーブトラックに検査用データを記録し、そのデータを再生してプッシュプル信号を作成し、このプッシュプル信号に含まれる第３番目のＬＰＰ近傍を所定期間にわたって繰り返しサンプリングして得られるオシロスコープ６１上の重畳波形（ＡＲ波形）が示されている。第１番目のＬＰＰである同期用ＬＰＰを検出してトリガをかけることで第３番目のＬＰＰをサンプリングするが、トリガタイミングがずれるとピークの最小値もずれるため、重畳波形における最小値は本来の値よりも低下してしまう。ところが、本実施形態では、同期用ＬＰＰを対象としてＡＲ値を算出するため、このようなトリガタイミングのずれの影響を受けることなく、常に正確にＡＲ値を算出することができ、ＡＲ（１）とＡＲ（３）との上記の関係に基づいてＡＲ（３）を直接算出することなく、ＡＲ（３）が規格値を満たすか否かを判定することが可能である。
【００３１】
図４には、オシロスコープ６１で作成された同期用ＬＰＰ信号１００（重畳波形）からＡＲ値を算出する処理が模式的に示されている。所定のしきいレベルで同期用ＬＰＰを検出し、同期用ＬＰＰを含むようにサンプリングする。サンプリングを複数回繰り返して同期用ＬＰＰ信号１００（重畳波形）が得られる。波形がボトムレベルから立ち上がるタイミング（図中Ｘ点）と波形がボトムレベルに立ち下がるタイミング（図中Ｙ点）を結ぶ線（図中破線）を想定し、ピーク値の最小値（図中Ｗ点）Ａと最大値Ｂをそれぞれ測定する。より詳細には、以下のとおりである。すなわち、プッシュプル信号はオシロスコープ６１に供給され、オシロスコープ６１のＡ／Ｄ変換器によりサンプリングされてメモリに順次記憶される。サンプリングデータのうち、所定値以上の正のピーク値を検出し、それをトリガとして所定期間（同期用ＬＰＰのみを含むに十分な期間）にわたってサンプリングデータをメモリに格納することで、同期用ＬＰＰ近傍のサンプリングデータがメモリに格納される。このメモリへの格納が複数回だけ繰り返される。オシロスコープ６１の制御回路は、メモリに格納されたデータを読み出して表示メモリに供給し、表示パネルに波形表示させる。パソコン６２は、オシロスコープ６１のメモリに格納されたサンプリングデータを読み出し、ピーク値の最大値及び最小値を抽出してＡＲ＝ｍｉｎ／ｍａｘを算出する。
【００３２】
図５には、本実施形態の全体処理フローチャートが示されている。まず、検査用光ディスクを装着し、その情報記録トラックであるグルーブトラックに検査用データを記録する（Ｓ１０１）。この際、同期用ＬＰＰを検出してこれに同期するように１４Ｔの同期情報を記録する。同期情報の極性設定アルゴリズムは任意であるが、例えばＲＯＰＣを所定の時間間隔で実行できるように、マークとスペースが交互に配置されるように同期情報の極性を設定する。ＲＯＰＣは、公知の如く記録パワーのレーザ光を照射してピットを形成する場合の反射光レベルを検出し、この反射光レベルが所定値に一致するように記録パワーを動的に調整するものである。ＲＯＰＣを確実に実行するためには最長の１４Ｔの同期情報の形成タイミングで実行するのが都合よく、同期情報の極性が交互にマークとスペースとなるように設定すれば、同期情報の２回に１回は常にＲＯＰＣを実行することが可能となり、きめの細かいパワー調整ができる。
【００３３】
検査用データを記録した後、当該データを再生してそのプッシュプル信号を生成し（Ｓ１０２）、プッシュプル信号に含まれる第１番目のＬＰＰである同期用ＬＰＰを抽出する（Ｓ１０３）。抽出された同期用ＬＰＰ（及びその近傍の信号）はオシロスコープ６１のメモリに格納される。次に、所定回数だけ繰り返し実行したか否かを判定し（Ｓ１０４）、未だ所定回数に達していない場合には同期用ＬＰＰの抽出を繰り返す。所定回数だけ抽出処理を繰り返した後、メモリから読み出して重畳波形として表示する（Ｓ１０５）。なお、重畳波形表示はユーザの便宜を考慮したものであり、ＡＲ値算出のためには必ずしも必須ではなく、表示ステップを省略してもよい。
【００３４】
重畳波形を表示した後、パソコン６２はオシロスコープ６１のメモリからデータを読み出し、同期用ＬＰＰの重畳波形からそのピークの最大値及び最小値を検出し、ＡＲ値を演算する（Ｓ１０６）。パソコン６２のメモリには予めＡＲの規格値（１５％）が記憶されており、得られたＡＲ値をこの規格値と大小比較する（Ｓ１０７）。ＡＲが規格値以上であれば、セクタアドレスを示す第３番目のＬＰＰのＡＲも規格値以上であることを意味するから、検査用光ディスクのＬＰＰは正常に形成されていると判定する（Ｓ１０８）。一方、ＡＲが規格値より小さい場合には、セクタアドレスを示す第３番目のＬＰＰのＡＲも規格値に達しないおそれが高いことから、検査用光ディスクのＬＰＰは異常であると判定する（Ｓ１０９）。
【００３５】
このように、本実施形態では、第１番目のＬＰＰである同期用ＬＰＰを検査対象としてＡＲ値を算出し、そのＡＲ値が規格を満たすか否かにより光ディスクを検査するため、第３番目のＬＰＰをサンプリングするためのトリガタイミングのずれの影響を受けることなく、高精度に光ディスクを検査することができる。
【００３６】
なお、本実施形態では、同期用ＬＰＰのＡＲを規格値（１５％）と大小比較したが、ＡＲ（１）≦ＡＲ（３）であることに鑑み、規格値を１５％から微小量だけ下方に変更してもよい。光ディスクのデータ領域では、最大でも１１Ｔのマークが記録され、同期情報は１４Ｔであるから、その比は１１／１４＝０．７９であり、これを用いるとＡＲ（３）における規格値１５％は、１５％×０．７９＝１１．８５％となる。したがって、ＡＲ（１）が満たすべき条件は、ＡＲ（１）≧１１．８５％となる。ＡＲ（３）の満たすべき条件として他の値、例えばＡＲ（３）≧１２％とすると（ダブルレイヤー構造の光ディスク等）、上記比率を用いてＡＲ（１）≧９．４８％が望ましい条件となる。これらのことから、一般にＡＲ（１）≧１０％程度の条件を満たせば、当該光ディスクのＬＰＰは正常であると判定することができる。光ディスクが満たすべき条件をまとめると、ＡＲ（１）≧１０％であり、あるいはＡＲ（１）≧１５％となる。光ディスクの種類に応じてＡＲ（１）が満たすべき条件を変化させてもよい。シングルレイヤーではＡＲ（１）≧１５％、ダブルレイヤーではＡＲ（１）≧１０％等である。本実施形態では、ＡＲ（３）を検出することなくＡＲ（１）のみで光ディスクを検査することが可能であるから、仮にＡＲ（３）も検出し、ＡＲ（１）が１０％以上であるがＡＲ（３）が１２％に満たない場合でも、ＡＲ（３）の誤検出であるとして当該光ディスクを正常と判定できる。言い換えれば、ＡＲ（１）≧１０％であり、かつ、ＡＲ（３）＜１２％の光ディスクはデータの記録及び再生を問題なく実行できる光ディスクとする。ＡＲ（１）≧１５％であり、かつ、ＡＲ（３）＜１５％の光ディスクも同様である。
【００３７】
また、本実施形態では、同期用ＬＰＰのＡＲを算出して規格値と比較しているが、上記のとおり、同期用ＬＰＰのＡＲと第３番目のＬＰＰのＡＲをともに算出し、これらをともに用いて光ディスクのＬＰＰを検査してもよい。すなわち、ＡＲ（１）及びＡＲ（３）を算出した後、まず従来と同様にＡＲ（３）を規格値と大小比較する。そして、ＡＲ（３）≧規格値であれば当該光ディスクは正常と判定して検査を終了する。一方、ＡＲ（３）＜規格値である場合には、その時点で異常と判定するのではなく、さらにＡＲ（１）と規格値を大小比較する。ＡＲ（１）≧規格値であれば当該光ディスクは正常と判定する。既述したとおり、トリガタイミングのずれにより第３番目のＬＰＰのピーク最小値は本来の値よりも小さく測定されることがあり、このためＡＲ（３）も本来の値よりも小さく誤算出され得るが、この場合にＡＲ（１）と規格値を大小比較し、ＡＲ（１）が規格を満たすのであれば正常と判定することで、ＡＲ（３）の誤算出を補償することができる。言い換えれば、ＡＲ（３）及びＡＲ（１）がともに規格値より小さい場合に、当該光ディスクのＬＰＰは異常と判定することができる。
【００３８】
また、本実施形態では、所定のアルゴリズムで１４Ｔの同期情報の極性を設定しているが、要するに、同期情報の極性が全てマークあるいは全てスペースではなく、マークとスペースが適当な頻度で存在していれば足りるので、その極性をランダムに設定することも可能である。
【図面の簡単な説明】
【００３９】
【図１】実施形態のＡＲ算出の概念説明図である。
【図２】オシロスコープに表示される同期用ＬＰＰの重畳波形説明図である。
【図３】オシロスコープに表示される第３番目のＬＰＰの重畳波形説明図である。
【図４】同期用ＬＰＰ信号（重畳波形）からのＡＲ値算出説明図である。
【図５】実施形態のＡＲ値算出処理フローチャートである。
【図６】ラジアルプッシュプル信号とＬＰＰ信号との関係を示す図である。
【図７】ＬＰＰの重畳波形説明図である。
【図８】従来装置の構成図である。
【図９】従来装置のプリピット検出回路の構成図である。
【符号の説明】
【００４０】
７０  プッシュプル信号（ラジアルプッシュプル信号）、１００  第１番目のＬＰＰ信号（重畳波形）、２００  第２番目のＬＰＰ信号（重畳波形）、３００  第３番目のＬＰＰ信号（重畳波形）。
【図１】
2006134515.tif 000003
【図２】
2006134515.tif 000004
【図３】
2006134515.tif 000005
【図４】
2006134515.tif 000006
【図５】
2006134515.tif 000007
【図６】
2006134515.tif 000008
【図７】
2006134515.tif 000009
【図８】
2006134515.tif 000010
【図９】
2006134515.tif 000011